(57)【要約】      （修正有）【課題】肩紐の屈曲性を維持しつつ、肩紐のランドセル本体に近い部分の剛性を高めることにより、ランドセル本体の上部が背中から離れる方向に移動するのを極力防止するランドセルを提供する。【解決手段】肩紐４は一端部４１がランドセル本体の背当て部の上部に配置した背環の連結部材３３及び支持部材３２を介してランドセル本体に連結され、一端部４１内に埋め込まれた連結部材３３の板状部３３ｂによって背環から立ち上がるように案内されており、肩紐４内には、その左右の各側縁部に沿って合成樹脂製の補強線材４３を埋め込むと共に、各補強線材４３における背環側の一端部４３ａを板状部３３ｂの左右の各側縁に沿って延在するように埋め込むように構成している。【選択図】図３
0003157591.tif 000002
【実用新案登録請求の範囲】
【請求項１】
帯状に形成された肩紐を左右一対備えてなるランドセルであって、
前記各肩紐は、その一端部がランドセル本体における背当て部の上部に配置された背環の連結部材及び支持部材を介して当該ランドセル本体に連結されていると共に、当該一端部内に埋め込まれた前記連結部材の板状部によって当該背環から立ち上がるように案内されており、
前記各肩紐内には、その左右の各側縁部に沿って合成樹脂製の補強線材が埋め込まれていると共に、その各補強線材における前記背環側の一端部が前記板状部の左右の各側縁に沿って延在するように埋め込まれていることを特徴とするランドセル。
【請求項２】
前記各補強線材は、それぞれの他端部が前記各肩紐における少なくとも背負う者の肩の前方に対応する部位に達するように延在していることを特徴とする請求項１に記載のランドセル。
【請求項３】
前記各補強線材は、それぞれの他端部がＵ字状の湾曲部となって連続的につながっていることを特徴とする請求項１又は２に記載のランドセル。
【請求項４】
前記補強線材は、断面が円形状、長円形状又は多角形状に形成されていることを特徴とする請求項１〜３の何れかに記載のランドセル。
【請求項５】
前記肩紐は、背負う者の肩に近い側である裏面側に位置する裏面側緩衝部材と、この裏面側緩衝部材の上に重ねられる表面側緩衝部材とを有しており、
前記補強線材は、前記裏面側緩衝部材と前記表面側緩衝部材とで挟まれた状態で、肩紐内に埋め込まれていることを特徴とする請求項１〜４の何れかに記載のランドセル。
【請求項６】
前記裏面側緩衝部材及び前記表面側緩衝部材の少なくも一方は、前記板状部が挿入可能に形成された凹部を有していることを特徴とする請求項５に記載のランドセル。
【請求項７】
前記裏面側緩衝部材と前記表面側緩衝部材とは、接着剤によって互いに密接に接合されるようになっていることを特徴とする請求項５又は６に記載のランドセル。
【請求項８】
前記湾曲部は、前記肩紐における表裏の各最外面素材を外側から挟み付けるように設けた留め金を囲むようにＵ字状に形成されていることを特徴とする請求項３〜７の何れかに記載のランドセル。
【考案の詳細な説明】
【技術分野】
【０００１】
本考案は、左右一対の肩紐を有するランドセルに関する。
【背景技術】
【０００２】
この種のランドセルとしては、図９に示すように、帯状に形成された左右一対の各肩紐Ａの一端部がランドセル本体Ｂの背当て部Ｂ１の上部に設けられた背環Ｃに回転自在に連結されたものが知られている（例えば、特許文献１の図１０、図１１参照）。
【０００３】
また、肩紐Ａとしては、左右の各側縁部に沿って補強テープ（図示せず）を備えたものが知られている（例えば、特許文献２）。補強テープは、ポリエステル等の繊維素材を編んだ剛性の低いもので形成されており、肩紐Ａの強度の向上を図ることができると共に、当該肩紐Ａが固くごわつくことのないようになっている。
【０００４】
このように構成されたランドセルにおいては、肩紐Ａの一端部が背環Ｃに回転自在に連結されていると共に、当該肩紐Ａが固くごわつくことのない剛性の低いもので構成されているため、ランドセル本体Ｂの重心Ｇに作用する荷重によって、背当て部Ｂ１の上端部Ｂ１ａが後方に移動するような方向のモーメントＭが発生すると、そのモーメントＭに対して肩紐Ａや背環Ｃが抵抗できない。このため、ランドセル本体Ｂの上部が背中から離れる方向に移動することになり、ランドセルが重く感じられるようになったり、肩紐Ａが背負う者の肩から外れやすくなるという問題があった。
【０００５】
このため、肩紐Ａの一端部を背当て部Ｂ１から上方に立ち上げるための保持部材を背環Ｃに設けた改良型のランドセルが開発されている（例えば、特許文献１の図１〜図９や、特許文献３の図１〜図５参照）。
【先行技術文献】
【特許文献】
【０００６】
【特許文献１】特開２００４−８１８００号公報
【特許文献２】実用新案登録第３０９２３６４号公報
【特許文献３】特開２００６−３８２号公報
【考案の概要】
【考案が解決しようとする課題】
【０００７】
しかしながら、上記改良型のランドセルにおいても、肩紐Ａが剛性の低いもので構成されていることから、当該肩紐Ａが保持部材を過ぎた部分から急激に折れ曲がるように変形し、結局は図９に示した場合と同様に、ランドセル本体Ｂの上部が背中から離れる方向に移動することになる。このため、ランドセルが重く感じられるようになったり、肩紐Ａが肩から外れやすくなるという問題が依然として残っていた。
【０００８】
本考案は、上記事情に鑑みてなされたものであり、肩紐の屈曲性を維持しつつ、当該肩紐における特にランドセル本体に近い部分の剛性を高めることにより、そのランドセル本体の上部が背中から離れる方向に移動するのを極力防止することのできるランドセルを提供することを課題としている。
【課題を解決するための手段】
【０００９】
上記課題を解決するため、請求項１に記載の考案は、帯状に形成された肩紐を左右一対備えてなるランドセルであって、前記各肩紐は、その一端部がランドセル本体における背当て部の上部に配置された背環の連結部材及び支持部材を介して当該ランドセル本体に連結されていると共に、当該一端部内に埋め込まれた前記連結部材の板状部によって当該背環から立ち上がるように案内されており、前記各肩紐内には、その左右の各側縁部に沿って合成樹脂製の補強線材が埋め込まれていると共に、その各補強線材における前記背環側の一端部が前記板状部の左右の各側縁に沿って延在するように埋め込まれていることを特徴としている。
【００１０】
請求項２に記載の考案は、請求項１に記載の考案において、前記各補強線材は、それぞれの他端部が前記各肩紐における少なくとも背負う者の肩の前方に対応する部位に達するように延在していることを特徴としている。
【００１１】
請求項３に記載の考案は、請求項１又は２に記載の考案において、前記各補強線材は、それぞれの他端部がＵ字状の湾曲部となって連続的につながっていることを特徴としている。
【００１２】
請求項４に記載の考案は、請求項１〜３の何れかに記載の考案において、前記補強線材は、断面が円形状、長円形状又は多角形状に形成されていることを特徴としている。
【００１３】
請求項５に記載の考案は、請求項１〜４の何れかに記載の考案において、前記肩紐は、背負う者の肩に近い側である裏面側に位置する裏面側緩衝部材と、この裏面側緩衝部材の上に重ねられる表面側緩衝部材とを有しており、前記補強線材は、前記裏面側緩衝部材と前記表面側緩衝部材とで挟まれた状態で、肩紐内に埋め込まれていることを特徴としている。
【００１４】
請求項６に記載の考案は、請求項５に記載の考案において、前記裏面側緩衝部材及び前記表面側緩衝部材の少なくも一方は、前記板状部が挿入可能に形成された凹部を有していることを特徴としている。
【００１５】
請求項７に記載の考案は、請求項５又は６に記載の考案において、前記裏面側緩衝部材と前記表面側緩衝部材とは、接着剤によって互いに密接に接合されるようになっていることを特徴としている。
【００１６】
請求項８に記載の考案は、請求項３〜７の何れかに記載の考案において、前記湾曲部は、前記肩紐における表裏の各最外面素材を外側から挟み付けるように設けた留め金を囲むようにＵ字状に形成されていることを特徴としている。
【考案の効果】
【００１７】
請求項１に記載の考案によれば、肩紐の一端部内に埋め込まれた板状部によって、その肩紐の一端部が背環から立ち上がるように案内されることになり、補強線材が肩紐の各側縁に沿うように埋め込まれていると共に、その補強線材の一端部が板状部の各側縁に沿って延在するように埋め込まれているので、板状部を過ぎた部分についてもその板状部と補強線材との共同作用により、肩紐の曲げ剛性が極端に低下した状態になるのを防止することができる。このため、肩紐が板状部を過ぎた部分から急激に折れ曲がるように変形するのを防止することができるので、ランドセル本体の上部が背中から離れる方向に移動するのを極力防止することができる。
【００１８】
従って、ランドセルが重く感じられようになったり、肩紐が肩から外れやすくなったりするのを改善することができる。しかも、補強線材によって肩紐の強度が向上する利点もある。また、合成樹脂製の補強線材はランドセルを背負ったり下ろしたりする際に必要な屈曲性を十分に確保することが可能であるので、その補強線材を設けることによって、そのランドセルの背負い下ろしに支障が生じるのを防止することができる。
【００１９】
請求項２に記載の考案によれば、各補強線材のそれぞれの他端部が肩紐における少なくとも背負う者の肩の前方に対応する部位に達するように延在しているので、その背負う者の肩からその前方にかけての肩紐の曲げ剛性を高めることができる。従って、肩から胸にかかる人体の形状に合うように肩紐の形状を設定しておくことにより、その形状を維持しようと力が肩紐に生じるので、ランドセル本体の上部が後方に移動するのを更に防止することができる。なお、このように補強線材を設けた場合においても、ランドセルを背負ったり下ろしたりする際に支障が生じないように、肩紐の屈曲性を維持することができる。
【００２０】
請求項３に記載の考案によれば、各補強線材はそれぞれの他端部がＵ字状の湾曲部となって連続的につながる形状をしているので、各補強線材を一本の線材によって形成することができる。従って、部品点数の低減及び肩紐内への組み込み作業の簡易化を図ることができる。
【００２１】
請求項４に記載の考案によれば、補強線材の断面が円形状、長円形状又は多角形状に形成されているので、それぞれの断面形状に応じた補強線材の曲げ剛性により、肩紐の曲げ剛性の向上を図ることができる。
【００２２】
請求項５に記載の考案によれば、補強線材が裏面側緩衝部材と表面側緩衝部材とで挟まれた状態で、肩紐内に埋め込まれるようになっているので、補強線材を肩紐内の所定の位置に正確かつ簡単に埋め込むことができる。従って、特に補強線材と板状部との共同作用により向上させる肩紐の曲げ剛性にばらつきが生じるのを極力防止することができる。
【００２３】
請求項６に記載の考案によれば、裏面側緩衝部材及び表面側緩衝部材の少なくも一方に、板状部が挿入可能な凹部が形成されているので、板状部を肩紐内の所定の位置に正確に埋め込むことができる。従って、補強線材を所定の位置に正確に埋め込むことができることと相俟って、補強線材及び板状部を相対に正確な位置に埋め込むことができる。従って、補強線材と板状部との共同作用によって向上した肩紐の曲げ剛性にばらつきが生じるのをより確実に防止することができる。
【００２４】
請求項７に記載の考案によれば、裏面側緩衝部材と表面側緩衝部材とが接着剤によって互いに密接に接合されるようになっているので、補強線材及び板状部の位置を一定の位置に安定的に保持することができる。従って、時間の経過によって、肩紐の剛性が変化するのを極力防止することができる。
【００２５】
請求項８に記載の考案によれば、補強線材の湾曲部が留め金を囲むようにＵ字状に形成されているので、特に補強線材の他端部の位置が肩紐内において変動するのを確実に防止することができる。このため、補強線材の一端部の位置についても肩紐内においてずれるのを防止することができるので、補強線材と板状部との相対位置を初期の状態に維持することができる。従って、この点からも、肩紐の曲げ剛性が経年変化するのを確実に防止することができる。
【図面の簡単な説明】
【００２６】
【図１】本考案の一実施例として示したランドセルの斜視図である。
【図２】同ランドセルにおける背環の部分を示す正面図である。
【図３】同ランドセルにおける背環の支持部材及び連結部材と肩紐とを連結した部分を示す要部正面図である。
【図４】同ランドセルにおける肩紐を裏面側から示した展開図であり、（ａ）は全体図、（ｂ）は支持部材及び連結部材との連結部分を示す要部拡大図である。
【図５】同ランドセルにおける肩紐を示す図であって、（ａ）は図３のＶａ−Ｖａ線に沿う断面図であり、（ｂ）は図３のＶｂ−Ｖｂ線に沿う断面図である。
【図６】同ランドセルにおける背環の支持部材及び連結部材を示す図であって、（ａ）は支持部材と連結部材とを連結した状態を示す正面図であり、（ｂ）は（ａ）のＢ矢視図であり、（ｃ）は連結部材を示す正面図であり、（ｄ）は支持部材を示す正面図である。
【図７】同ランドセルにおける背環の支持部材及び連結部材と肩紐との連結部分を示す図３におけるVII矢視図であって、（ａ）は連結部材の板状部が背当て部に沿ってほぼ真上に延在した状態を示す図であり、（ｂ）は連結部材の板状部が背当て部に対して前方に角度γ（γ＝約３０度）傾いた方向に延在する状態を示す図である。
【図８】同ランドセルの作用効果を示す説明図である。
【図９】従来のランドセルの構成及び問題点を示す説明図である。
【考案を実施するための形態】
【００２７】
本考案を実施するための形態を実施例に基づいて詳細に説明する。
【実施例】
【００２８】
この実施例で示すランドセルは、図１に示すように、ランドセル本体１と、このランドセル本体１の一側面（背面）に設けられた背当て部２と、この背当て部２の上部における左右方向の中央部に設けられた背環３と、この背環３に一端部４１が連結された左右一対の肩紐４と、一端部が各肩紐４の他端部に連結された左右一対の下紐５と、この下紐５の他端部をランドセル本体１の底部に固定すべく当該ランドセル本体１の底面に設けられた左右一対のダルマかん６（図８参照）を備えている。
【００２９】
ランドセル本体１は、矩形状の容器状に形成された大マチ部１１や、この大マチ部１１の前方に配置された小マチ部１２等を有し、これらの大マチ部１１及び小マチ部１２等の上方開口部を開閉可能にする冠１３を有する構成になっている。
【００３０】
背当て部２は、四角形の板状に形成されたものであって、その表面側に、所定の形状に隆起したクッション部２１を有している。なお、上述した冠１３は、背当て部２の上端部２ａに連結されていると共に、当該上端部２ａを支点にして屈曲するようになっている。
【００３１】
背環３は、図２に示すように、背当て部２に固定されるベース部材３１と、このベース部材３１に揺動自在に設けられた左右一対の支持部材３２と、これらの各支持部材３２を各肩紐４に連結する連結部材３３とを有している。
【００３２】
ベース部材３１は、左右対称に形成されたものであり、その左右方向の中央部を背当て部２上部における左右方向の中央部に合わせた後、その上から化粧用シート２２で覆い、更にその上から化粧を兼ねた保護部材３４を載置した上で、ハトメなどの留め金３５を用いて背当て部２に固定されている。
【００３３】
支持部材３２は、図２、図３及び図６に示すように、直線状に延在する一定の幅の支持板部３２ａと、この支持板部３２ａの上側に当該支持板部３２ａより幅広に形成された拡幅板部３２ｂとによって一体的に形成されている。支持板部３２ａは、図３及び図６に示すように、その下端部に、ベース部材３１に揺動自在に連結される軸受孔３２ｃを有し、その軸受孔３２ｃの上側に肉抜孔３２ｄを有している。また、支持板部３２ａは、図２に示すように、拡幅板部３２ｂがベース部材３１の上縁から上方に突出した状態で左右に揺動することが可能なように、その長さが設定されている。
【００３４】
また、拡幅板部３２ｂには、図６に示すように、その幅方向の両端部から上方に向けて平行に突出するアーム３２ｇ、３２ｇが形成されている。各アーム３２ｇには、その対向する各面から互いに近接する方向に突出する回転支持軸３２ｈが同軸状に形成されている。また、各アーム３２ｇは、回転支持軸３２ｈの下側の部分が直線状に延在する棒状部材（脱落防止部材）３２ｉによって連結されている。そして、拡幅板部３２ｂ、左右のアーム３２ｇ、３２ｇ及び棒状部材３２ｉによって囲まれた細長い矩形状の開口部が肩紐４の後述する舌片部４１ａを挿通するための開口部３２ｊとなっている。
【００３５】
連結部材３３は、棒状に形成された基端部３３ａと、この基端部３３ａの軸方向のほぼ中央の位置から斜めに突出する板状部３３ｂと、基端部３３ａの軸方向の各端部に設けられたストッパ部３３ｃによって一体的に形成されている。
【００３６】
基端部３３ａには、各端面から軸方向に、回転支持軸３２ｈを回転自在に支持する軸受孔３３ｄが形成されていると共に、外周面から少なくとも一つの軸受孔３３ｄに達するように切欠溝（図示せず）が形成されている。これにより、例えば一方の回転支持軸３２ｈを一方の軸受孔３３ｄに挿入した後に、他方の回転支持軸３２ｈを他方の軸受孔３３ｄに切欠溝を介して挿入することが可能になる。但し、切欠溝は、肩紐４等から通常作用する外力によっては、回転支持軸３２ｈが軸受孔３３ｄから脱落しないような位置及び形状に形成されている。
【００３７】
ストッパ部３３ｃは、各アーム３２ｇの側面に当ることによって、回転支持軸３２ｈ回りの板状部３３ｂの回転角度を後述する揺動角度γに制限するようになっている。
【００３８】
板状部３３ｂは、一定の幅の板によって形成されたものであり、基端部３３ａにおける平面状に形成された周面の一部から斜めに突出している。また、板状部３３ｂの先端部には、肩紐４の一端部４１との結合を図るための貫通孔３３ｅが形成されている。
【００３９】
肩紐４は、図３〜図５及び図７に示すように、帯状に形成された複数の部材を積層したもので一体的に構成されている。即ち、肩紐４は、一端部４１から離れた位置である図３のＶｂ−Ｖｂ線に沿う断面位置においては、図５（ｂ）に示すように、背負う者の肩に近い側である裏面側に位置する裏面側緩衝部材４ａと、この裏面側緩衝部材４ａの上に重ねられた表面側緩衝部材４ｂと、裏面側緩衝部材４ａの裏面側を覆う裏面表皮材４ｃと、表面側緩衝部材４ｂの表面側を覆う表面表皮材４ｄとを備えている。
【００４０】
裏面側緩衝部材４ａ及び表面側緩衝部材４ｂは、衝撃吸収性及び屈曲性の優れた発泡合成樹脂（例えば発泡ウレタン樹脂）によって帯状に形成されている。裏面表皮材４ｃは、裏面側緩衝部材４ａの裏面を覆うと共に、この裏面側緩衝部材４ａの側縁から外側にはみ出した表面側緩衝部材４ｂの裏面をも覆い、更に表面側緩衝部材４ｂの側面及び同側面に沿う表面側緩衝部材の表面側縁部分も覆うように形成されている。表面表皮材４ｄは、表面側緩衝部材４ｂの表面及びその表面側縁部分に位置する裏面表皮材４ｃを覆うように形成されている。そして、裏面表皮材４ｃについては、人体に馴染みやすいように柔軟性に富んだ材料によって形成されており、表面表皮材４ｄについては、強度的に優れた材料で形成されている。
【００４１】
一方、背環３との連結を図る部分である肩紐４の一端部４１には、図４に示すように、舌片部４１ａが裏面側緩衝部材４ａ、表面側緩衝部材４ｂ、裏面表皮材４ｃ等の一端から突出するように形成されている。この舌片部４１ａは、図５（ａ）及び図７に示すように、表面表皮材４ｄと、この表面表皮材４ｄの内方に重ねられた補強片４ｅによって形成されている。また、肩紐４の一端部４１には、図４、図５（ａ）及び図７に示すように、連結部材３３の板状部３３ｂが挿入可能な収納部（板状部３３ｂが挿入可能な凹部）４１ｂが形成されている。
【００４２】
収納部４１ｂは、図５（ａ）に示すように、裏面側緩衝部材４ａ及び表面側緩衝部材４ｂのそれぞれの合わせ面に形成されてに凹部４ｆ、４ｇによって形成されている。また、収納部４１ｂは、図４（ｂ）に示すように、裏面側緩衝部材４ａ及び表面側緩衝部材４ｂの一端面４ｈ、４ｉから他端側に延在するように形成されている。なお、収納部４１ｂについては、裏面側緩衝部材４ａ及び表面側緩衝部材４ｂの一方に形成した凹部によって構成してもよい。
【００４３】
また、連結部材３３は、その板状部３３ｂが収納部４１ｂ内に挿入されることによって基端部３３ａが裏面側緩衝部材４ａ及び表面側緩衝部材４ｂの各一端面４ｈ、４ｉに当接した状態になり、これによって肩紐４における板状部３３ｂの位置が定まるようになっている。また、肩紐４の舌片部４１ａは、図７に示すように、支持部材３２の開口部３２ｊに挿入され、棒状部材３２ｉ及び基端部３３ａを内側に巻くようして屈曲し、裏面表皮材４ｃに接触させられた状態で、ハトメ等からなる留め金４２によって、一端部４１における裏面表皮材４ｃ、裏面側緩衝部材４ａ、表面側緩衝部材４ｂ、補強片４ｅ及び表面表皮材４ｄと一体的に結合されるようになっている。
【００４４】
そして、肩紐４における一端部４１及びこの一端部４１における舌片部４１ａには、図４に示すように、それぞれ留め金４２の軸部が挿通可能な貫通孔４１ｃ、４１ｄが形成されている。また、一端部４１の貫通孔４１ｃは、収納部４１ｂに挿入された板状部３３ｂの貫通孔３３ｅと同軸状の位置に形成されている。
【００４５】
留め金４２は、舌片部４１ａをループ状に固定することにより、そのループ状の舌片部４１ａをもって連結部材３３及び支持部材３２との連結をはかり、これにより肩紐４の一端部４１を背環３に確実に連結するようになっている。また、舌片部４１ａは、図３及び図７に示すように、縫合糸４１ｅによってもループ状に固定されるようになっている。
【００４６】
また、肩紐４は、図５に示すように、その裏面側緩衝部材４ａ、表面側緩衝部材４ｂ、裏面表皮材４ｃ及び表面表皮材４ｄのそれぞれが相互に接着剤により接合されており、一端部４１においては更に表面側緩衝部材４ｂ、裏面表皮材４ｃ、補強片４ｅ及び表面表皮材４ｄ等が相互に接着されている。更に、肩紐４は、その左右の側縁部がその側縁部に沿って縫い込まれた二列状の縫合糸４ｊによって連続的に縫合されており、この縫合糸４ｊによっても積層された各部材が強固に一体化されるようになっている。
【００４７】
更に、肩紐４内には、図４に示すように、その左右の各側縁部に沿って所定の合成樹脂製の補強線材４３が埋め込まれていると共に、その各補強線材４３における背環３側の一端部４３ａが板状部３３ｂの左右の各側縁に沿って延在するように埋め込まれている。
【００４８】
補強線材４３は、図５（ｂ）に示すように、二列並んだ縫合糸４ｊのうち内側の縫合糸４ｊの内側近傍に沿って延在すべく、裏面側緩衝部材４ａと表面側緩衝部材４ｂとの間に挟まれた状態で肩紐４内に埋め込まれている。また、補強線材４３の一端部４３ａは、図５（ａ）に示すように、板状部３３ｂの側縁近傍に沿って延在すべく、裏面側緩衝部材４ａと表面側緩衝部材４ｂとの間に挟まれた状態で肩紐４内に埋め込まれている。
【００４９】
また、補強線材４３の他端部は、図４（ａ）に示すように、肩紐４における背負う者の肩の前方に対応する部位に達するように延在していると共に、Ｕ字状の湾曲部４３ｂとなって連続的につながった形状になっている。湾曲部４３ｂは、肩紐４における表裏の各最外面素材を挟みつけて圧縮するように固定する留め金４４を囲むようにＵ字状に形成されている。そして、補強線材４３は、断面円形状の一本の線材によって形成されている。補強線材４３の断面の径は所定の寸法の範囲に設定されている。
【００５０】
また、背環３が背当て部２に固定された状態において、連結部材３３は、図７（ａ）に示すように、その板状部３３ｂが少なくとも背当て部２に沿って上方に延在することとなるように、支持部材３２に対する回転角度の調整が可能になっている。
【００５１】
連結部材３３のストッパ部３３ｃは、板状部３３ｂが上方に延在する状態（図７（ａ）の状態）から背当て部２の前方に所定の揺動角度γだけ傾いた状態（図７（ｂ）の状態）になった際に、支持部材３２のアーム３２ｇに当接して、板状部３３ｂがその揺動角度γ以上に前方に傾くのを制限するようになっている。揺動角度γは、約３０度に設定されている。
【００５２】
上記のように構成されたランドセルにおいては、肩紐４の一端部４１内に埋め込まれた板状部３３ｂによって、図７（ｂ）の揺動角度γで示すように、その肩紐４の一端部４１が背環３から背当て部２に沿う方向に対して前方に約３０度の角度で立ち上がるように案内されることになり、補強線材４３が肩紐４の各側縁に沿うように埋め込まれていると共に、その補強線材４３の一端部４３ａが板状部３３ｂの各側縁に沿って延在するように埋め込まれているので、板状部３３ｂを過ぎた部分についてもその板状部３３ｂと補強線材４３との共同作用により、肩紐４の曲げ剛性が極端に低下した状態になるのを防止することができる。
【００５３】
これにより、肩紐４が板状部３３ｂを過ぎた部分から急激に折れ曲がるように変形するのを防止することができるので、肩紐４の形状を背負う者の肩に沿うように維持しようとする力が高まることになる。この場合、その肩紐４の形状を肩の形状に維持しようとする力は、図８に示すように、ランドセル本体１の上部を背中から離す方向に作用するモーメントＭに対して抵抗する方向のモーメントＭ´として働くと考えられる。このため、ランドセル本体１の上部が背中から離れる方向に移動するのを極力防止することができる。
【００５４】
従って、ランドセルが重く感じられようになったり、肩紐４が肩から外れやすくなったりするのを改善することができる。しかも、補強線材４３によって肩紐４の強度を向上させることができるという利点もある。但し、補強線材４３が所定の合成樹脂製の線材によって形成されているので、ランドセルを背負ったり下ろしたりする際に必要な屈曲性を十分に確保することができ、肩紐４の剛性が向上することによってランドセルの背負い下ろしが困難になることがない。
【００５５】
また、補強線材４３の他端部が肩紐４における背負う者の肩の前方に対応する部位に達するように延在しているので、その背負う者の肩からその前方にかけての肩紐４の曲げ剛性を高めることができる。従って、肩から胸にかかる人体の形状に合うように肩紐４の形状を設定しておくことにより、その形状を維持しようと力が肩紐４に働くので、ランドセル本体１の上部が後方に移動するのを更に抑制することができる。なお、このように補強線材４３を設けた場合においても、ランドセルを背負ったり下ろしたりする際に支障が生じないように、肩紐４の屈曲性を維持することができる。
【００５６】
更に、補強線材４３は他端部がＵ字状の湾曲部となって連続的につながる形状をしているので、各補強線材４３を一本の線材によって形成することができる。従って、部品点数の低減を図ることができると共に、補強線材４３を肩紐４内に組み込むための工数の低減を図ることができる。
【００５７】
しかも、補強線材４３が所定の合成樹脂によって形成され、断面の径が所定の寸法の範囲に形成されているので、肩紐４の屈曲性を維持しつつ、特にランドセル本体に近い部分の肩紐４の曲げ剛性を、板状部３３ｂと補強線材４３との共同作用により高めることができる。
【００５８】
ここで、補強線材４３の断面の径を所定の寸法の範囲に設定したのは、その径がその所定の寸法の範囲の最小値未満であると、板状部３３ｂと補強線材４３との共同作用によっても当該板状部３３ｂを過ぎた部分の肩紐４の曲げ剛性を十分に向上させることができず、その板状部３３ｂを過ぎた部分から肩紐４が急激に屈曲するおそれがあるからであり、その径がその所定の寸法の範囲の最大値を超えると肩紐４の曲げ剛性が高くなり、特に小学校低学年の生徒の場合には背負い下ろしが困難になるおそれがあるからである。
【００５９】
また、補強線材４３が裏面側緩衝部材４ａと表面側緩衝部材４ｂとで挟まれた状態で、肩紐４内に埋め込まれるようになっているので、補強線材４３を肩紐４内の所定の位置に正確かつ簡単に埋め込むことができる。しかも、裏面側緩衝部材４ａ及び表面側緩衝部材４ｂに板状部３３ｂが挿入可能な収納部４１ｂが形成されているので、板状部３３ｂを肩紐４内の所定の位置に正確に埋め込むことができる。従って、補強線材４３を所定の位置に正確に埋め込むことができることと相俟って、補強線材４３及び板状部３３ｂを相対に正確な位置に埋め込むことができるので、補強線材４３と板状部３３ｂとの共同作用によって向上する肩紐４の曲げ剛性のばらつきをより確実に防止することができる。
【００６０】
更に、裏面側緩衝部材４ａと表面側緩衝部材４ｂとが接着剤によって互いに密接に接合されるようになっているので、補強線材４３及び板状部３３ｂの位置を一定の位置に安定的に保持することができる利点もある。従って、時間の経過によって、肩紐４の剛性が変化するのを極力防止することができる。
【００６１】
そして、補強線材４３の湾曲部４３ｂが留め金４４を囲むようにＵ字状に形成されているので、特に補強線材４３の他端部の位置が肩紐４内において変動するのを確実に防止することができる。このため、補強線材４３の一端部４３ａの位置についても肩紐４内においてずれるのを防止することができるので、補強線材４３と板状部３３ｂとの相対位置を初期の状態に維持することができる。従って、この点からも、肩紐４の曲げ剛性が経年変化するのを確実に防止することができる。
【００６２】
なお、上記実施例においては、補強線材４３として、所定の合成樹脂によって断面円形に形成されたものを示したが、他の合成樹脂を用いたり、他の断面形状、例えば長円形や多角形の断面形状のもので構成したりしてもよい。このように、円形とは異なる断面形状の補強線材４３を用いることにより、それぞれの断面形状に応じた補強線材４３の曲げ剛性により、肩紐４の曲げ剛性の向上を図ることができる。但し、他の合成樹脂や、円形以外の断面形状の補強線材４３を用いる場合には、上述した所定の合成樹脂で断面円形状に形成し所定の径寸法の範囲としたものに相当する曲げ剛性を有するように、その材質、断面の形状及び寸法を設定することが好ましい。
【００６３】
また、連結部材３３の板状部３３ｂについては、肩紐４の一端部４１を背環３から立ち上がるように案内すべく構成しており、その立ち上がる角度としては背当て部２に沿って上方に向う方向に対して前方に約３０度（γ＝約３０度（図７（ｂ）参照））の角度とするように構成にしたが、その立ち上がる角度は、背当て部２に沿って上方に向う方向と、その前方に３０度傾いた方向との間の所定の方向の角度であってもよい。即ち、板状部３３ｂは、肩紐４の一端部４１を背環３から背当て部２に沿って上方に立ち上がるように案内するように構成してもよい。
【符号の説明】
【００６４】
１  ランドセル本体
２  背当て部
３  背環
４  肩紐
４ａ  裏面側緩衝部材
４ｂ  表面側緩衝部材
４ｃ  裏面表皮材
４ｄ  表面表皮材
４ｆ、４ｇ  凹部
３２  支持部材
３３  連結部材
３３ｂ  板状部
４１  一端部
４３  補強線材
４３ａ  一端部
４３ｂ  湾曲部
４４  留め金
【図１】
0003157591.tif 000003
【図２】
0003157591.tif 000004
【図３】
0003157591.tif 000005
【図４】
0003157591.tif 000006
【図５】
0003157591.tif 000007
【図６】
0003157591.tif 000008
【図７】
0003157591.tif 000009
【図８】
0003157591.tif 000010
【図９】
0003157591.tif 000011
【手続補正書】
【提出日】平成21年12月3日(2009.12.3)
【手続補正１】
【補正対象書類名】実用新案登録請求の範囲
【補正対象項目名】全文
【補正方法】変更
【補正の内容】
【実用新案登録請求の範囲】
【請求項１】
帯状に形成された肩紐を左右一対備えてなるランドセルであって、
前記各肩紐は、その一端部がランドセル本体における背当て部の上部に配置された背環の連結部材及び支持部材を介して当該ランドセル本体に連結されていると共に、当該一端部内に埋め込まれた前記連結部材の板状部によって当該背環から立ち上がるように案内されており、
前記各肩紐内には、その左右の各側縁部に沿って合成樹脂製の補強線材が埋め込まれていると共に、その各補強線材における前記背環側の一端部が前記板状部の左右の各側縁に沿って延在するように埋め込まれていることを特徴とするランドセル。
【請求項２】
前記各補強線材は、それぞれの他端部が前記各肩紐における少なくとも背負う者の肩の前方に対応する部位に達するように延在していることを特徴とする請求項１に記載のランドセル。
【請求項３】
前記各補強線材は、それぞれの他端部がＵ字状の湾曲部となって連続的につながっていることを特徴とする請求項１又は２に記載のランドセル。
【請求項４】
前記補強線材は、断面が円形状、長円形状又は多角形状に形成されていることを特徴とする請求項１〜３の何れかに記載のランドセル。
【請求項５】
前記肩紐は、背負う者の肩に近い側である裏面側に位置する裏面側緩衝部材と、この裏面側緩衝部材の上に重ねられる表面側緩衝部材とを有しており、
前記補強線材は、前記裏面側緩衝部材と前記表面側緩衝部材とで挟まれた状態で、肩紐内に埋め込まれていることを特徴とする請求項１〜４の何れかに記載のランドセル。
【請求項６】
前記裏面側緩衝部材及び前記表面側緩衝部材の少なくも一方は、前記板状部が挿入可能に形成された凹部を有していることを特徴とする請求項５に記載のランドセル。
【請求項７】
前記裏面側緩衝部材と前記表面側緩衝部材とは、接着剤によって互いに密接に接合されるようになっていることを特徴とする請求項５又は６に記載のランドセル。
【請求項８】
前記各補強線材は、それぞれの他端部がＵ字状の湾曲部となって連続的につながっており、
前記湾曲部は、前記肩紐における表裏の各最外面素材を外側から挟み付けるように設けた留め金を囲むようにＵ字状に形成されていることを特徴とする請求項１、２、４、５、６又は７に記載のランドセル。
【手続補正２】
【補正対象書類名】明細書
【補正対象項目名】００１６
【補正方法】変更
【補正の内容】
【００１６】
請求項８に記載の考案は、請求項１、２、４、５、６又は７に記載の考案において、前記各補強線材は、それぞれの他端部がＵ字状の湾曲部となって連続的につながっており、前記湾曲部は、前記肩紐における表裏の各最外面素材を外側から挟み付けるように設けた留め金を囲むようにＵ字状に形成されていることを特徴としている。